(57)【要約】【課題】スクリーン内蔵型の粉粒体分級機におけるスクリーン、エアブラシ及び回転羽根（ブロワ）を、工具を用いることなく分級機から取り外して洗浄等の処理が行い得るようにすること。【解決手段】回転羽根２とスクリーン７とエアブラシ３が内蔵されている粉粒体分級機。開閉ハウジング５が前記本体１に第１ヒンジ１１を介して開閉自在に設けられ、該開閉ハウジング５の中央部に、スクリーン装着用開口部８が設けられると共に該スクリーン装着用開口部８には、前記スクリーン７を嵌合する装着部１３が設けられ、前記スクリーン装着用開口部８には、前記開閉蓋９が、前記装着部１３を被覆する状態で、第２ヒンジ１２を介して前記開閉ハウジング５に対して開閉自在に設けられ、且つ、該開閉蓋９を前記開閉ハウジング５に対して密閉閉鎖するよう構成されている。【選択図】図８
2008264750.tif 000002
【特許請求の範囲】
【請求項１】
分級機本体１の内部に回転羽根２が設けられて、該本体１の前部に、分級するべき原料を供給する供給口６が設けられ、該供給口６から吸引された原料を分級するスクリーン７が前記供給口６に面して設けられ、且つ、前記スクリーン７の背後にエアブラシ３が回転自在に内蔵されている粉粒体分級機であって、
前記本体１の前部に、前記回転羽根２を装着離脱できる開口部４が設けられ、該開口部４を開閉する開閉ハウジング５が前記本体１に第１ヒンジ１１を介して開閉自在に設けられ、
前記開閉ハウジング５を本体１に対して密閉閉鎖するための第１緊締機構１０が設けられ、
該開閉ハウジング５の中央部に、スクリーン装着用開口部８が設けられると共に該スクリーン装着用開口部８には、前記スクリーン７を嵌合する装着部１３が設けられ、
前記スクリーン７は、前記装着部１３に嵌合される保持部材１４に固定されてスクリーンユニット７Ａに構成され、
前記スクリーン装着用開口部８には、前記供給口６が設けられた開閉蓋９が、前記装着部１３を被覆する状態で、第２ヒンジ１２を介して前記開閉ハウジング５に対して開閉自在に設けられ、且つ、
該開閉蓋９を前記開閉ハウジング５に対して密閉閉鎖するための第２緊締機構１５が設けられている、
ことを特徴とする粉粒体分級機。
【請求項２】
分級機本体１の内部に回転羽根２が設けられて、該本体１の前部に、分級するべき原料を供給する供給口６が設けられ、該供給口６から吸引された原料を分級するスクリーン７が前記供給口６に面して設けられ、且つ、前記スクリーン７の背後にエアブラシ３が回転自在に内蔵されている粉粒体分級機であって、
前記本体１の前部に、前記回転羽根２を装着離脱できる開口部４が設けられ、該開口部４を開閉する開閉ハウジング５が前記本体１に第１ヒンジ１１を介して開閉自在に設けられ、
該開閉ハウジング５の中央部に、スクリーン装着用開口部８が設けられると共に該スクリーン装着用開口部８には、前記スクリーン７を嵌合する装着部１３が設けられ、
前記スクリーン７は、前記装着部１３に嵌合される保持部材１４に固定されてスクリーンユニット７Ａに構成され、
前記スクリーン装着用開口部８には、前記供給口６が設けられた開閉蓋９が、前記装着部１３を被覆する状態で、第２ヒンジ１２を介して前記開閉ハウジング５に対して開閉自在に設けられ、且つ、
該開閉蓋９を、前記開閉ハウジング５を介在させた状態で、前記本体１の前部の開口部４に対して密閉閉鎖するための少なくとも一つの手動操作緊締機構１５が設けられている、
ことを特徴とする粉粒体分級機。
【請求項３】
前記スクリーンユニット７Ａの一部を構成する前記保持部材１４がリング状体で構成され、前記スクリーン７は、該リング状体に対して、前記開閉蓋９の側からボルト止めされていることを特徴とする請求項１又は請求項２の粉粒体分級機。
【発明の詳細な説明】
【技術分野】
【０００１】  本発明は、食品、化学工業薬品、金属粉、医薬品等の粉粒体を分級するところの粉粒体分級機に関するものである。
【背景技術】
【０００２】  この種の粉粒体分級機としては、種々の形態のものが提案されており、例えば、気流分級型、スクリーン型等が挙げられる。
本発明は、分級手段としてスクリーンを用いるタイプの粉粒体分級機を対象とするもので、１００メッシュ乃至２０００メッシュの粉粒体の分級ができるものを対象としている。
このタイプの粉粒体分級機としては、図１０に示すように、分級するべき粉粒体を取り込む入り口側にスクリーン２１を配置し、その背後にブロワ２３を配置させ、粉粒体を吸引して、先ずスクリーン２１を通過する粉粒体と、これを通過できないサイズの粉粒体とに区別し、そのスクリーン２１を通過した所定のサイズの粉粒体を後のサイクロン２４に向けて送り出され、サイクロン２４からＰＡＳＳ品として取り出され、スクリーン２１を通過できなかった粉粒体は、スクリーン２１の手前でそのままＯＮ品として取り出される。【０００３】  図９において、２０は、原料供給部であり、２１は、スクリーン、２２は、スクリーン２１を清掃するためのエアブラシ、２３は、モータで回転駆動されるブロワ、２４は、サイクロン、２５は、集塵機を夫々示す。【０００４】  上述のブロワ２３としては、回転羽根からなるものであるが、この回転羽根としては、通常の羽根体から構成される他、回転されたときに負圧（吸引力）を発生する機能を有する構造物（例えば、棒状体も含む）から構成されることもあり、加えて、前方に位置するスクリーン２１が粉粒体により暫時目詰まりを来たすので、これを解消するべく、前述の回転羽根側からスクリーン２１（裏面）に向けてエアを噴射し、スクリーンの目詰まり洗浄を行うことができるようにするために、前記回転羽根にエアの通路を備えさせ、回転しながら所定圧のエアを噴射できるようにされているものが開発されている。【０００５】  このような粉粒体分級機としては、例えば、次の技術が知られている。
【特許文献１】特開平８−１２６８４８。
【発明の開示】
【発明が解決しようとする課題】
【０００６】  上記のスクリーン分級型の粉粒体分級機は、概略すると、図１０にも示すように、回転羽根（ブロワ）を回転軸支する支持構造と、回転羽根を内蔵するハウジング構造と、スクリーンを開閉蓋に保持するスクリーン保持構造からなる。
そして、そのスクリーンの保持構造としては、図１１の概略図に示すように、一般に、開閉蓋２６に対して、内側からスクリーン２１がボルト止めされ、同様に、回転羽根（ブロワ）２３及びエアブラシ２２も回転軸に対してボルト止めされていた。
従って、この構造の粉粒体分級機の場合、スクリーン２１を洗浄するときには、開閉蓋２６を開き、ボルトを外さなければ分級機から取り外すことができないものであった。
また、回転羽根（ブロワ）２３については、ボルト連結を解除して本体ハウジングを分解しなければ、取り出しができないものであった。【０００７】  本発明は、上述したスクリーン内蔵型の粉粒体分級機におけるスクリーン、エアブラシ及び回転羽根（ブロワ）を、工具を用いることなく分級機から取り外して洗浄等の処理容易に行い得るようにすることを目的とする。
【課題を解決するための手段】
【０００７】  本発明にかかる粉粒体分級機は、上記課題を解決するために、請求項１に記載の通り、分級機本体１の内部に回転羽根２が設けられて、該本体１の前部に、分級するべき原料を供給する供給口６が設けられ、該供給口６から吸引された原料を分級するスクリーン７が前記供給口６に面して設けられ、且つ、前記スクリーン７の背後にエアブラシ３が回転自在に内蔵されている粉粒体分級機であって、
前記本体１の前部に、前記回転羽根２を装着離脱できる開口部４が設けられ、該開口部４を開閉する開閉ハウジング５が前記本体１に第１ヒンジ１１を介して開閉自在に設けられ、
前記開閉ハウジング５を本体１に対して密閉閉鎖するための第１手動操作緊
締機構１０が設けられ、
該開閉ハウジング５の中央部に、スクリーン装着用開口部８が設けられると共に該スクリーン装着用開口部８には、前記スクリーン７を嵌合する装着部１３が設けられ、
前記スクリーン７は、前記装着部１３に嵌合される保持部材１４に固定されてスクリーンユニット７Ａに構成され、
前記スクリーン装着用開口部８には、前記供給口６が設けられた開閉蓋９が、前記装着部１３を被覆する状態で、第２ヒンジ１２を介して前記開閉ハウジング５に対して開閉自在に設けられ、且つ、
該開閉蓋９を前記開閉ハウジング５に対して密閉閉鎖するための第２手動操作緊締機構１５が設けられていることを特徴とする。
また、本発明は上記目的を達成するために、請求項２に記載のように、
分級機本体１の内部に回転羽根２が設けられて、該本体１の前部に、分級するべき原料を供給する供給口６が設けられ、該供給口６から吸引された原料を分級するスクリーン７が前記供給口６に面して設けられ、且つ、前記スクリーン７の背後にエアブラシ３が回転自在に内蔵されている粉粒体分級機であって、
前記本体１の前部に、前記回転羽根２を装着離脱できる開口部４が設けられ、該開口部４を開閉する開閉ハウジング５が前記本体１に第１ヒンジ１１を介して開閉自在に設けられ、
該開閉ハウジング５の中央部に、スクリーン装着用開口部８が設けられると共に該スクリーン装着用開口部８には、前記スクリーン７を嵌合する装着部１３が設けられ、
前記スクリーン７は、前記装着部１３に嵌合される保持部材１４に固定されてスクリーンユニット７Ａに構成され、
前記スクリーン装着用開口部８には、前記供給口６が設けられた開閉蓋９が、前記装着部１３を被覆する状態で、第２ヒンジ１２を介して前記開閉ハウジング５に対して開閉自在に設けられ、且つ、
該開閉蓋９を、前記開閉ハウジング５を介在させた状態で、前記本体１の前部の開口部４に対して密閉閉鎖するための少なくとも一つの手動操作緊締機構１５が設けられていることを特徴とする。【０００８】  本発明において、実施例では、第１ヒンジ１１及び第２ヒンジ１２が同軸芯で構成されているが、別の軸心のものとして、別途も設けられてもよい。
本発明において分級するべき原料とは、粉末、顆粒、粒状、結晶、ラリー状、フレーク状等で、例えば、小麦粉、米等の食品、粉状、粒状医薬品、工業用薬品、金属、飼料等を言う。
また、この粉粒体分級機の使用形態としては、通常、集塵機を備えたサイクロン等と併用する。
尚、分級としては、スクリーンを通過せずに取り出されたものも一つの製品（ＯＮ品）である。尚、スクリーンを通過した製品をＰＡＳＳ品としている。
【発明の効果】
【０００９】  本発明にかかる粉粒体分級機は、手動操作緊締手段の解除操作だけで、スクリーン、エアブラシ、回転羽根を、工具を用いることなく簡単に分級機から取り外して洗浄等の処理が行い得ることができる利点がある。
具体的には、手動操作緊締機構を操作して、少なくとも開閉蓋を開くことによりスクリーンを露出させ、前面側から取り外すことができる。また、開閉ハウジングをも開くようにすれば、エアブラシは勿論のこと回転羽根（ブロワ）をも取り出すことができ、そのメンテナンスが容易に行い得て、便利である。
本発明のその他の具体的な利点は、以下の説明から明らかとなろう。
【発明を実施するための最良の形態】
【００１０】  本発明においては、その実施に際して、前記スクリーンユニット７Ａの一部を構成する前記保持部材１４がリング状体で構成され、前記スクリーン７は、該リング状体に対して、前記開閉蓋９の側からボルト止めされているのが好ましい。
このように、保持部材１４がリング状体で構成され、これにスクリーン７が固定されることで、スクリーン７をユニット化し、上記スクリーン装着用開口部８への装着が容易となると共にスクリーン７の取替えが必要な場合には、開閉蓋９を開き、全面側から前記保持部材１４に対するネジ止めを解除すれば取り外すことができ、容易に交換できるので便利である。【００１１】  また、前記回転羽根２は同心２重軸１６の外軸１６ａにキーを介して着脱自在に取り付けられ、前記エアブラシ３は同心２重軸１６の内軸１６ｂにネジ止めされ、且つ、該内軸１６ｂは中空として、前記エアブラシ３へ圧縮エアを供給するエア通路１６ｃを備え、該エア通路１６ｃは、前記エアブラシ３に連通連結されているのが好ましい。【００１２】  このように構成することで、前記回転羽根２は、開閉ハウジング５を開くと、容易に外軸１６ａから取り外すことができ、洗浄等のメンテを行うことができる。
そして、前記エアブラシ３は同心２重軸１６の内軸１６ｂにネジ止め（逆ネジ）されているので、これを容易に解除して取り外すことができる。
また、この内軸１６ｂを中空として圧縮エアを通すエア通路１６ｃに構成することで、簡単、コンパクトな構造でエアブラシ３にエアを供給できる。
【実施例】
【００１３】  本発明にかかる粉粒体分級機の実施の形態を、図面を参照して以下詳述する。
図１は、粉粒体分級機の全体の縦断側面図である。この粉粒体分級機は、分級機本体１の内部に回転羽根２が設けられて、該本体１の前部に、分級するべき原料を供給する供給口６が設けられ、該供給口６から吸引された原料を分級するスクリーン７が前記供給口６に面して設けられ、且つ、前記スクリーン７の背後にエアブラシ３が回転自在に内蔵されている。【００１４】  因みに、回転羽根２を駆動する電動モータの出力は、３．７ＫＷ（スクリーン面積０．３ｍ２）で、風量８〜１５ｍ３／ｍｉｎである。
前記エアブラシ３については、その逆洗エア量は、１．０３〜１．３ｍ３／ｍｉｎとしている。
また、スクリーン７は、種々の粒度のものを分級できるものを装着でき、１００メッシュ乃至２０００メッシュの分級を行い得るものも使用できる。【００１５】  そして、前記本体１の前部に、前記回転羽根２を装着離脱できる開口部４が設けられ、図１乃至図３に示すように、該開口部４を開閉する開閉ハウジング５が前記本体１に第１ヒンジ１１を介して開閉自在に設けられている。この開閉ハウジング５は、前記本体１の前面壁の一部を形成するもので、本来は、前記回転羽根２を囲繞するブロワのケーシングの一部である。【００１６】  更に、前記開閉ハウジング５を本体１に対して密閉閉鎖するための第１手動操作緊締機構１０が設けられている。
この第１手動操作緊締機構１０は、図２、図３に示すように、二つの回転ハンドル１０Ａ，１０Ａを、それぞれ支持軸１０Ｂ，１０Ｂに羅合させ、その支持軸１０Ｂ，１０Ｂを回倒自在に前記本体１側に設け、前記開閉ハウジング５を本体１に対して密閉閉鎖した状態において、該支持軸１０Ｂ，１０Ｂを倒伏し、前記回転ハンドル１０Ａ，１０Ａを回動操作して、該回転ハンドル１０Ａ，１０Ａの基部を前記開閉ハウジング５の周部に圧接させ、前記開閉ハウジング５を前記本体１に対して緊締するように構成されている。
勿論、この第１手動操作緊締機構１０は、１基備えるだけでもよく、実施例の如く２基備えるのが好ましいが、また、３基、４基備えてもよいものである。【００１７】  また、前記開閉ハウジング５の中央部に、スクリーン装着用開口部８が設けられると共に該スクリーン装着用開口部８には、前記スクリーン７を嵌合する装着部１３が設けられている。この装着部１３は、略円形状で、前面側から奥側に凹む段部に形成され、スクリーン７が埋没される深さに構成されている。【００１８】  前記スクリーン７は、前記装着部１３の段部に嵌合される保持部材１４に固定されてスクリーンユニット７Ａに構成されている。
この保持部材１４は、リング状体で構成され、前記スクリーン７は、該リング状体に対して、前記装着部１３に装着した状態で見たときに、前記開閉蓋９の側から、所定の周部位置でボルト止め（ネジ止め）されている。【００１９】  前記スクリーン装着用開口部８には、前記供給口６が設けられた開閉蓋９が、前記装着部１３を被覆する状態で、第２ヒンジ１２を介して前記開閉ハウジング５に対して開閉自在に設けられ、且つ、該開閉蓋９を前記開閉ハウジング５に対して密閉閉鎖するための第２手動操作緊締機構１５が設けられている。
尚、この実施例では、前記第１ヒンジ１１と第２ヒンジ１２とは、同軸心で構成されている。【００２０】  この第２手動操作緊締機構１５は、図２、図３に示すように、一つの回転ハンドル１５Ａを、それぞれ支持軸１５Ｂに羅合させ、その支持軸１５Ｂを回倒自在に前記開閉ハウジング５側に設け、前記開閉ハウジング５に対して密閉閉鎖した状態において、該支持軸１５Ｂを倒伏し、前記回転ハンドル１５Ａを回動操作して、該回転ハンドル１５Ａの基部を前記開閉蓋９の周部に圧接させ、前記開閉蓋９を前記開閉ハウジング５に対して緊締するように構成されている。【００２１】  また、前記回転羽根２は同心２重軸１６の外軸１６ａにキーを介して着脱自在に取り付けられ、前記エアブラシ３は、同心２重軸１６の内軸１６ｂにネジ止めされ、且つ、該内軸１６ｂは中空として、前記エアブラシ３へ圧縮エアを供給するエア通路１６ｃを備え、該エア通路１６ｃは、前記エアブラシ３に連通連結されている。
図４は、このエアブラシ３の正面図であり、図５は、図４のＡ−Ａ矢視断面図である。【００２２】  上記同心２重軸１６は、その外軸１６ａの一端部にプーリ１７がキー止めされ、図外の電動モータによりベルト伝導で回転駆動される。そして、前記内軸１６ｂの端部は、外軸１６ａよりも延長され、その端部にもプーリ１８がキー止めされ、同様に図外の電動モータによりベルト伝導で回転駆動される。前記内軸１６ｂの端部には、エアチューブを連結するアダプターが設けられ、そこから圧縮エアが供給される。【００２３】  そして、前記内軸１６ｂの他端部には、前記エアブラシ３が逆ネジ（駆動回転方向と）で連結され、そのエア通路１６ｃからエアを受けて、排気するように構成されている。
このエアブラシ３の構造は、ここでは、中空の１本の棒状体で構成され、その表面にはエア噴射用の小孔３Ａが多数穿孔されている。そのエアブラシ３の直径は、略スクリーン７の直径に対応するものであり、その中間部を回転軸芯とて回転しながらスクリーン７の表面にエアを吹きつけ、目詰まりを解消させる（粉粒体の吸引方向から見ると逆洗ということができる）。【００２４】  上記の如く構成されているので、スクリーン７の取替え、或いは洗浄に際し、スクリーン７を本体１から分離、取り外しするには、先ず、図６の状態から、第２手動操作緊締手段１５の前記回転ハンドル１５Ａを回動操作し、該回転ハンドル１５Ａの基部を前記開閉蓋９の周部から遠ざけて圧接状態を解除し、前記支持軸１５Ｂを倒伏して、回転ハンドル１５Ａの基部を前記開閉蓋９の周部から離す。【００２５】  そして、図７に示すように、前記開閉蓋９を、第２ヒンジ１２を介して前記開閉ハウジング５から引き離し、開いた状態とする。これにより、スクリーン７が前面に露出する。
この状態で、スクリーン７の適所を把持して、その装着部１３の段部に嵌合され、且つ一体の保持部材１４と共に取り出す。この場合、装着部１３の段部（凹部）に嵌められたスクリーン７を把持して取り出すのが多少困難であるが、止めネジへの係合によるピッキング、或いは磁石を利用してもよい。【００２６】  しかし、更に、簡便で、実用的な取り外し方法は、上述の方法で開閉蓋９を開いた後に、図８に示すように、更に第１手動操作緊締手段１０を操作して開閉ハウジング５を本体１から離し、しかる後に、開閉ハウジング５の内側から開閉蓋９の側に向けてスクリーンユニット７Ａを手で押し出すようにすればよい。これによって、スクリーンユニット７Ａは容易に、前記装着部１３の段部（凹部）の嵌合状態から外れる。
このようにすれば、何等の工具を要することなくスクリーン７を本体１から取り外すことが可能となり、取り替え、洗浄等のメンテナンスが容易に行い得る。
また、図９に示すように、開閉ハウジング５を本体１から離すことで、エアブラシ３及び回転羽根２が前面に露出されるので、これらをも、逆ネジの戻し、キーの外しで容易に取り外すことが可能となるのであり、これらの洗浄、メンテナンスが容易に行い得る。
【産業上の利用可能性】
【００２７】  本発明の粉粒体分級機は、スクリーンを用いて分級を行うもので、粉粒体、即ち、粉末、顆粒、粒状、結晶、スクリーンラリー状、フレーク状等であれば分級できるもので、例えば、小麦粉、米等の食品、粉状、粒状医薬品、工業用薬品、金属、飼料等に適用でき、その応用範囲は広い。
【図面の簡単な説明】
【００２８】
【図１】本発明にかかる粉粒体分級機の全体の縦断側面図である。
【図２】本発明にかかる粉粒体分級機の全体の正面である。
【図３】本発明にかかる粉粒体分級機の全体の一部縦断側面図である。
【図４】本発明にかかる粉粒体分級機のエアブラシの正面図である。
【図５】本発明にかかる粉粒体分級機のエアブラシの図３におけるＡ−Ａ矢視断面図である。
【図６】本発明にかかる粉粒体分級機の全体の一使用態様を示す概略縦断側面図である。
【図７】本発明にかかる粉粒体分級機の全体の一使用態様を示す概略縦断側面図である。
【図８】本発明にかかる粉粒体分級機の全体の一使用態様を示す概略縦断側面図である。
【図９】本発明にかかる粉粒体分級機の全体の一使用態様を示す概略縦断側面図である。
【図１０】従来技術を示す粉粒体分級機とその使用形態を示す概略図である。
【図１１】従来技術を示す粉粒体分級機の概略分解図である。
【符号の説明】
【００２９】１：分級機本体
２：回転羽根
６：供給口
７：スクリーン
３：エアブラシ
４：開口部
５：開閉ハウジング
１１：第１ヒンジ
１０：第１手動操作緊締機構
８：スクリーン装着用開口部
１３：装着部
１４：保持部材
７Ａ：スクリーンユニット
９：開閉蓋
１２：第２ヒンジ
１５：第２手動操作緊締機構
１６：同心２重軸
１６ａ：外軸
１６ｂ：内軸
１６ｃ：エア通路
【図１】
2008264750.tif 000003
【図２】
2008264750.tif 000004
【図３】
2008264750.tif 000005
【図４】
2008264750.tif 000006
【図５】
2008264750.tif 000007
【図６】
2008264750.tif 000008
【図７】
2008264750.tif 000009
【図８】
2008264750.tif 000010
【図９】
2008264750.tif 000011
【図１０】
2008264750.tif 000012
【図１１】
2008264750.tif 000013